(57)【要約】【要約書】【課題】  製造コストを軽減し模様などの趣向を表面に設けセンスを良くし、強力な滑り止め効果を発揮し違和感の少ない自然体での着用が出来る被服用滑り止め材の提供。【解決手段】  長繊維糸使用の織物或は編物の表面３に模様をプリントし、裏面５に起毛６を設けた基布２表面３の全面に、透明或は淡色で流動性を調整したシリコーン材７を皮膜すると共に、布２の裏面５に熱熔融性樹脂フイルム８を設けるようにしたものである。【選択図】図１
0003126180.tif 000002
【実用新案登録請求の範囲】
【請求項１】
長繊維糸使用の織物或は編物の表面に模様をプリントし、裏面に起毛を設けた基布表面の全面に、透明或は淡色で流動性を調整し上面を平面としたシリコーン材を皮膜すると共に、基布の裏面に熱熔融性樹脂フイルムを設けたことを特徴とする被服用滑り止め材。
【請求項２】
シリコーン材上面を曲面としてなる請求項１記載の被服用滑り止め材。
【考案の詳細な説明】
【技術分野】
【０００１】  本考案は、ズボンやスラックスやスカートなどの下半身用衣服の腰裏に設け、着ているカッターシャツやブラウスなどの上半身用衣服の滑りを防ぐようにする被服用滑り止め材に関するものである。
【背景技術】
【０００２】  カッターシャツやブラウスなどの上半身用衣服を着て日常生活をする中で、上半身用衣服が滑って一方に寄ったり又その寄り方がアンバランスになったりすることが多く、買物で外出する時或は仕事での商談や接客する時には非常に見苦しくなり相手に不快感を与えるため、始めに着た良い状態をそのまま保つことが出来るようズボンやスラックスやスカートなどの下半身用衣服の腰裏に滑り止めを設けるようになってきた。
その滑り止めも長い紐状から細い帯状であったが、近年では色々と工夫改善されて短片で上半身用衣服が当る側に凸状のシリコーンを設けて滑り止め効果を増加するようにしている。
【考案の開示】
【考案が解決しようとする課題】
【０００３】  このように工夫改善されて腰裏に設けるようにした滑り止めも未だその機能を十分に果したとは云えず、凸状のシリコーンを設けた滑り止めも圧縮成型による凸状の成型品のため成型圧力によってシリコーンが基布の裏面まで抜け出てしまいそれを防ぐため色々な手段が必要となり、又成型品を作る面積が制限され型代が非常に高くなり、成型する機械も大きなものが必要であると共に、シリコーンを固めるのに時間が掛かるなど多くの欠点があり滑り止めの製造上非常に不都合を感じていた。
【課題を解決するための手段】
【０００４】  本考案はこのような不都合を解消し、製造コストを軽減し模様などの趣向を表面に設けセンスを良くし、而も強力な滑り止め効果を最大限に発揮し違和感の少ない自然体での着用が出来る被服用滑り止め材を提供せんとするものである。
長繊維糸使用の織物或は編物の表面にインクジエット又はスクリーン等にて文字や模様をプリントし、裏面に起毛を設けた基布表面の全面に、上面を平面或は中央が厚く両端を薄くした曲面とし透明或は淡色で流動性を調整したシリコーン材を熱着にて含浸層を形成し皮膜すると共に、基布の裏面に熱熔融性樹脂フイルムを加熱にて設けている。【０００５】  尚、基布にシリコーン材と熱熔融性樹脂フイルムを設けて大きな連続テープ状に作製してから、長方形や菱形など色々な形に型抜きして滑り止め材を製造する。
このように形成した滑り止め材は、柔軟で弾力性に富み人体の接する表面が柔らかいシリコーン材としたため、違和感のない自然体での使用が出来ると共に、シリコーン材が基布表面の全面を皮膜しているため、腰裏の平面は勿論曲面でも馴染みやすく滑り止めの効果をより最大限強力に発揮することが出来る。【０００６】  又、滑り止め材上面が平面でも曲面でも滑り止め効果は殆ど変わらないが、曲面にした場合は自然体で違和感のない着用効果を十分に発揮することが出来る。
且、流動性を調整したシリコーン材を用い長繊維糸使用の起毛を設けたことによって、熱着時に基布の起毛の中間で流動が止まり、熱熔融性樹脂フイルムを設ける時に何の影響もなく接着させて一体化することが出来る。
そして、透明或は淡色のシリコーン材で基布表面の全面を皮膜しているため、基布表面に設けた模様が透視によって浮かんでいるように見え、長繊維糸を使用しているため光沢が得られるなど今迄と違った全く新しい雰囲気を醸し出す滑り止め材を安価に作ることが出来る。【０００７】  この滑り止め材を使用するにはシリコーン材を身体側になるよう熱熔融性樹脂フイルム側を腰裏に設ける。
尚、この滑り止め材は滑り止めとして用いているが、基布表面に設けた模様が透視によって浮かんでいるように見え、長繊維糸を使用しているので光沢が得られるなど今迄と違った全く新しい雰囲気を醸し出し感性を刺激するため、飾りとして被服に付ける装飾材に使用しても良い。
【考案の効果】
【０００８】  本考案の請求項１に於いては、テープ状に作製してから色々な形に型抜きして製造するため、製造が容易であると共に製造コストを低下させることが出来、且つ流動性を調整したシリコーン材を用い長繊維糸使用の起毛を設けたことによって、熱着時に基布の起毛の中間で流動が止まり、熱熔融性樹脂フイルムを設ける時に何の影響もなく起毛に接着させて一体化することが出来る。【０００９】  又、柔軟で弾力性に富み表面が柔らかいシリコーン材のため、違和感のない自然体での使用が出来ると共に、シリコーン材が基布表面の全面を皮膜しているため、腰裏の平面は勿論曲面でも馴染みやすく滑り止めの効果をより最大限強力に発揮することが出来ると共に、透明或は淡色のシリコーン材で基布表面の全面を皮膜しているため、基布表面に設けた模様が透視によって浮かんでいるように見え、長繊維糸を使用しているため光沢が得られ、今迄と違った全く新しい雰囲気を醸し出し、更にシリコーン材及び熱熔融性樹脂フイルムを設けた後の剥離も、長繊維糸使用の起毛にて毛足が引っ張りに対して非常に強く、毛足が切れたり抜けたりすることがないため起こり難いなど多くの特長が有り実用上非常に優れた考案である。
【考案を実施するための最良の形態】
【００１０】  長繊維糸使用の織物或は編物の表面に模様をプリントし、裏面に起毛を設けた基布表面の全面に、透明或は淡色で流動性を調整したシリコーン材を皮膜すると共に、基布の裏面に熱熔融性樹脂フイルムを設けたものである。
【実施例１】
【００１１】  本実施例はシリコーン材上面を曲面とし長手方向に直交するよう設けた場合に付いて説明する。
図中１は滑り止め材全体を示し、２は長繊維糸使用の織物或は編物からなる基布であって、表面３にインクジエット若しくはシルクスクリーン等にて模様４をプリントして設けると共に、裏面５に起毛６を設けている。
７は上面７ａを長手方向に直交して中央が厚く両端を薄くした曲面とし透明で流動性を調整したシリコーン材であって、前記基布２表面３の全面をプライマー加工の熱着にて起毛６の中間で流動が止まって含浸層Ｘを形成し皮膜している。
８は熱熔融性樹脂フイルムであって、前記基布２の裏面５の起毛６上に設け、アイロンにて起毛６の足に絡みながら浸透層Ｙを形成し裏面５の起毛６に接着にて設けている。【００１２】  このようにして形成した滑り止め材１は、流動性を調整したシリコーン材７を用いたことによって、熱着時に起毛６によって基布２に厚みが出来、基布２の起毛６の中間で流動が止まって皮膜するため、熱熔融性樹脂フイルムを接着する時には何の影響もなく起毛６に接着して一体化することが出来る。
又、柔軟で弾力性に富み表面が柔らかく上面７ａを曲面としたシリコーン材７のため、違和感のない自然体での使用が出来ると共に、シリコーン材７が表面３全面を皮膜しているため、腰裏の平面は勿論曲面でも馴染みやすく滑り止めの効果をより最大限強力に発揮することが出来る。【００１３】  そして、透明のシリコーン材７で基布２表面３の全面を皮膜しているため、基布２表面３に設けた模様４が透視によって浮かんでいるように見え、今迄と違った全く新しい雰囲気を醸し出している。
使用に当っては、滑り止め材１のシリコーン材７を身体側になるよう熱熔融性樹脂フイルム８側を腰裏に設ける。
【産業上の利用可能性】
【００１４】  繊維業界の被服の滑り止め材或は装飾材に使用することが出来る。
【図面の簡単な説明】
【００１５】
【図１】  実施例１の拡大縦断面図である
【図２】  実施例１の一部を破断した平面図である
【符号の説明】
【００１６】  １    滑り止め材
２    基布
３    表面
４    模様
５    裏面
６    起毛
７    シリコーン材
７ａ  上面
８    熱熔融性樹脂フイルム
Ｘ    含浸層
Ｙ    浸透層
【図１】
0003126180.tif 000003
【図２】
0003126180.tif 000004